(57)【特許請求の範囲】
【請求項１】
公衆電話回線を介した通信を行う通信手段を有し、該通信手段を用いてセンタから楽曲ファイルをダウンロードし、このダウンロードした楽曲ファイルを順次読み出すことによってカラオケ演奏を行うカラオケ装置において、
数値キーを含む操作手段と、
利用者の操作に応じ、前記通信手段を利用して前記操作に対応する通話先に電話を掛ける架電手段と、
通話先との通話中に入力された数値を前記通信手段に入力し、前記通信手段に前記入力された数値に対応するトーンシグナルを発生させて公衆電話回線に入力する手段と、
を備えたことを特徴とするカラオケ装置。
【請求項２】
公衆電話回線を介した通信を行う通信手段を有し、該通信手段を用いてセンタから楽曲ファイルをダウンロードし、このダウンロードした楽曲ファイルを順次読み出すことによってカラオケ演奏を行うカラオケ装置において、
利用者の操作に応じ、前記通信手段を利用して前記操作に対応する通話先に電話を掛ける架電手段と、
通話先との通話時に、カラオケ歌唱用のマイクに入力した音声を前記通信手段をスルーして公衆電話回線に出力するとともに、公衆電話回線から入力された通話音声を前記通信手段をスルーしてカラオケ用スピーカから出力する通話切換手段と、
を備えたことを特徴とするカラオケ装置。
【発明の詳細な説明】
【０００１】
【発明の属する技術分野】
この発明は、カラオケ利用者が装置の通信機能を利用して電話を掛けることができるようにしたカラオケ装置に関する。
【０００２】
【従来の技術】
カラオケ店舗としてカラオケ装置が設置された個室であるカラオケボックスが普及している。カラオケボックスへ来店する顧客は、単独で来店するよりも友人一緒に複数で来店する場合が多いが、来店したのちに友人を呼び出したり、友人と連絡を取りたい場合もある。
【０００３】
【発明が解決しようとする課題】
しかし、カラオケボックスはカラオケ装置と店内インターホンが設置されている完全な個室であるため、外部に連絡をとるためには、ロビーの公衆電話などを使用しなければならず、カラオケボックスを時間借りしている顧客にとっては面倒であった。
【０００４】
一方、現在普及している通信カラオケ装置は楽曲ファイルのダウンロードのために通信機能を備えているが、楽曲ファイルのダウンロードは週に１度程度で利用頻度が極めて低く、この有効活用が望まれていた。
【０００５】
この発明は、装置に備わっている通信機能を有効利用して友人などに電話を掛けることができるカラオケ装置を提供することを目的とする。
【０００６】
【課題を解決するための手段】
この出願の請求項１の発明は、公衆電話回線を介した通信を行う通信手段を有し、該通信手段を用いてセンタから楽曲ファイルをダウンロードし、このダウンロードした楽曲ファイルを順次読み出すことによってカラオケ演奏を行うカラオケ装置において、
数値キーを含む操作手段と、利用者の操作に応じ、前記通信手段を利用して前記操作に対応する通話先に電話を掛ける架電手段と、通話先との通話中に入力された数値を前記通信手段に入力し、前記通信手段に前記入力された数値に対応するトーンシグナルを発生させて公衆電話回線に入力する手段と、を備えたことを特徴とする。
【０００７】
この出願の請求項２の発明は、公衆電話回線を介した通信を行う通信手段を有し、該通信手段を用いてセンタから楽曲ファイルをダウンロードし、このダウンロードした楽曲ファイルを順次読み出すことによってカラオケ演奏を行うカラオケ装置において、
利用者の操作に応じ、前記通信手段を利用して前記操作に対応する通話先に電話を掛ける架電手段と、通話先との通話時に、カラオケ歌唱用のマイクに入力した音声を前記通信手段をスルーして公衆電話回線に出力するとともに、公衆電話回線から入力された通話音声を前記通信手段をスルーしてカラオケ用スピーカから出力する通話切換手段と、を備えたことを特徴とする。
【０００８】
【発明の実施の形態】
図面を参照してこの発明の実施例である通信カラオケ装置について説明する。この通信カラオケ装置は、カラオケ歌唱用の個室であるいわゆるカラオケボックスに設置されるものである。通信カラオケ装置とは、センタと通信回線を接続し、センタからダウンロードした楽曲ファイルによってカラオケ演奏を実行するカラオケ装置である。このため、通信カラオケ装置には公衆電話回線にアクセスするためのモデム１８（図１参照）が接続されている。
【０００９】
図１は同通信カラオケ装置のブロック図である。装置全体の動作を制御するＣＰＵ１０には、バスを介してＲＯＭ１１，ＲＡＭ１２，ハードディスク記憶装置（ＨＤＤ）１７，通信制御部１６，リモコン受信機１３，表示パネル１４，パネルスイッチ１５，音源装置１９，音声データ処理部２０，効果用ＤＳＰ２１，文字表示部２５，前記ＬＤチェンジャ２６および表示制御部２７が接続されている。ＲＯＭ１１には、システムプログラム，アプリケーションプログラム，ローダおよびフォントデータが記憶されている。システムプログラムは、この装置の基本動作や周辺機器とのデータ送受を制御するプログラムである。アプリケーションプログラムは周辺機器制御プログラム，シーケンスプログラムなどである。カラオケ演奏時にはシーケンスプログラムがＣＰＵ１０によって実行され、楽曲ファイルに基づいた楽音の発生，映像の再生が行われる。ローダは、通信接続部１６，モデム１８を介してセンタから楽曲ファイルをダウンロードするためのプログラムである。フォントデータは、歌詞や曲名などを表示するためのものであり、明朝体やゴジック体などの複数種類の文字種のフォントが記憶されている。また、ＲＡＭ１２には、カラオケ演奏を実行する楽曲ファイルを読み込むためのワークエリアが設定されるとともに、コマンダ３２やパネルスイッチ１５のテンキーから入力された数値をバッファリングする置数バッファ，予約された曲番号を順番に記憶する予約曲リスト，後述の電話モード／通常モードを記憶する電話モードフラグ，電話が通話中（フックオフ状態）であるか否かを記憶する通話中フラグなどが設定される。ＨＤＤ１７にはセンタからダウンロードした楽曲ファイルを数千〜一万曲分蓄積記憶するための楽曲ファイル記憶エリアが設けられる。
【００１０】
通信制御部１６にはモデム１８が接続されている。通信制御部１６はモデム１８を制御してセンタをアクセスし、センタから楽曲ファイル等をダウンロードしてＨＤＤ１７に書き込む。この通信制御部１６はＤＭＡ回路を内蔵しており、ダウンロードされた楽曲ファイルをＣＰＵ１０を介さずに直接ＨＤＤ１７に書き込むことができる。また、このカラオケ装置は、電話モードに設定することにより、利用者（カラオケ歌唱者）がコマンダ３２やパネルスイッチ１５を操作して外部に電話を掛けることができ、この電話モードにおいては、コマンダ３２やパネルスイッチ１５から入力された電話番号が通信制御部１６からモデム１８に出力される。上記通信制御部１６およびモデム１８がこの発明の通信手段に対応する。
【００１１】
リモコン受信機１３はコマンダ３２から送られてくる赤外線信号を受信してデータを復元する。コマンダ３２はテンキー４０など各種キースイッチを備えており、利用者がこれらのスイッチを操作するとその操作に応じたコードで変調された赤外線信号を送信する。
【００１２】
図２にコマンダ３２の概略図を示す。コマンダ３２には曲番号や電話番号を入力するためのテンキー４０やＡキー，Ｂキーが設けられているほか、曲番号を登録するための送信キー４４，入力した曲番号を取り消すための取消キー４５が設けられている。また、通常のカラオケ選曲モードから電話番号を入力する電話モードに移行するための電話モードスイッチ４１，現在電話モードであることを表示するＬＥＤ４２および通話を終了したときフックオン（電話を切る）をするためのフックオンスイッチ４３が設けられている。通常モード時に電話モードスイッチ４１をオンすると電話モードに移行してＬＥＤ４２が点灯し、本体装置のＲＡＭ１２の電話モードフラグがセットされる。電話モード時に再度電話モードスイッチ４１をオンすると通常モードに復帰し、ＬＥＤ４２が消灯するとともにＲＡＭ１２の電話モードフラグがリセットされる。電話モード時にテンキー４０を操作すると、その数値が通信制御部１６に入力されＡＴＤＴコマンドとともにモデム１８に入力される。すなわち、その数値はトーン信号としてモデム１８から公衆電話回線に出力される。したがって、通話前であればその信号は電話番号として扱われ、通話中であれば、例えばポケットベル（登録商標）のコード入力などとして扱われる。
【００１３】
表示パネル１４は入力された曲番号などを表示するためのＬＥＤ表示器などを含んでいる。また、パネルスイッチ１５はテンキーのほか上記コマンダ３２と同種のキースイッチを含んでおり、このパネルスイッチを操作して曲番号を入力したり電話を掛けたりすることもできる。
【００１４】
音源装置１９は、カラオケ演奏時にＣＰＵ１０から入力されるイベントデータに基づいて楽音信号を形成する。イベントデータは楽曲ファイルの楽音トラックに記憶されている。音声データ処理部２０は、楽曲ファイルに含まれるＡＤＰＣＭデータである音声データに基づき、指定された長さ，指定された音高の音声信号を形成する。音声データは、バックコーラスなどの音源装置１９で電子的に発生しにくい信号波形をそのままディジタル化して記憶したものである。
【００１５】
歌唱用のマイク２９はプリアンプ３０に接続されている。マイク２９から入力された歌唱音声信号はプリアンプ３０で増幅されＡ／Ｄコンバータ３１でディジタル信号に変換されたのち効果用ＤＳＰ２１に入力される。効果用ＤＳＰ２１には、歌唱音声信号のほか音源装置１９が形成した楽音信号および音声データ処理部２０が形成した音声信号が入力される。効果用ＤＳＰ２１は、これら入力された音声信号や楽音信号に対して種々の効果を付与する。付与する効果としては、リバーブやエコーなどの残響系の効果，コーラスなどのスペクトル系の効果，フェーダなどの位相系の効果，キーチェンジなどの周波数変換系の効果などがある。これらの効果は歌唱音声信号およびカラオケ演奏音（楽音信号，音声信号）に対してそれぞれ別々に付与できるものとする。効果用ＤＳＰ２１がカラオケ演奏音に対して付与する効果の種類や程度は、楽曲ファイルの効果トラックのイベントデータ（ＤＳＰコントロールデータ）に基づいて制御される。ＤＳＰコントロールデータはＤＳＰコントロール用シーケンスプログラムに基づき、ＣＰＵ１０が所定のタイミングに効果用ＤＳＰ２１に入力する。効果が付与された楽音信号，音声信号はＤ／Ａコンバータ２２でアナログ信号に変換されたのちメインアンプ２３に入力される。メインアンプ２３は、この信号を増幅したのちスピーカ２４に出力する。
【００１６】
また、メインアンプ２３は前記モデム１８を介して公衆電話回線と接続されている。電話モード時に前記通信制御部１６は、通話相手が応答（フックオフ）するとモデム１８に指示を送って電話回線をモデム１８からメインアンプ２３側に切り換える。これにより、通話相手の音声はメインアンプ２３を介してスピーカ２４から出力され、マイク２９から入力された音声はメインアンプ２３を介して通話相手に送信される。すなわち、マイク２９とスピーカ２４を使って通話相手と通話することができる。
【００１７】
文字表示部２５は入力される文字データに基づいて、曲名や歌詞などの文字パターンを生成する。また、ＬＤチェンジャ２６は入力された映像選択データ（チャプタナンバ）に基づき、対応するＬＤの背景映像を再生する。映像選択データは当該カラオケ曲のジャンルデータなどに基づいて決定される。ジャンルデータは楽曲ファイルのヘッダに書き込まれており、カラオケ演奏スタート時にＣＰＵ１０によって読み出される。ＣＰＵ１０はジャンルデータに基づいてどの背景映像を再生するかを決定し、その背景映像を指定する映像選択データをＬＤチェンジャ２６に対して出力する。ＬＤチェンジャ２６には、５枚のレーザディスクが内蔵されており約１２０シーンの背景映像を再生することができる。映像選択データによってこのなかから１つの背景映像が選択され、映像データとして出力される。文字パターン，映像データは表示制御部２７に入力される。表示制御部２７ではこれらのデータをスーパーインポーズで合成してモニタ２８に表示する。
【００１８】
図３〜図５は同カラオケ装置の電話モード関係の動作を示すフローチャートである。図３は電話モードスイッチがオンされたときの動作を示すフローチャートである。コマンダ３２の電話モードスイッチ４１またはパネルスイッチ１５の同種のキースイッチがオンされたときこの動作がスタートする。最初に、現在、電話モードであるか否かを判断する（ｓ１）。これは電話モードフラグがセットしているか否かで判断される。電話モードでなければ、電話モードフラグをセットして電話モードにする（ｓ２）。このとき同時にコマンダ３２ではＬＥＤ４３が点灯する。次に、モデム１８をセットアップする（ｓ３）。これでコマンダ３２のテンキー４０やパネルスイッチ１５のテンキーを操作して電話を掛けたり、ポケットベル（登録商標）を呼び出したりすることが可能になる。
【００１９】
また、現在、電話モードであれば、電話モードフラグをリセットして通常モードをセットする（ｓ５）。このときコマンダ３２ではＬＥＤ４３が消灯する。これにより、コマンダ３２のテンキー４０やパネルスイッチ１５のテンキーを操作して曲番号を入力することが可能になる。
【００２０】
図４（Ａ）はテンキー操作に対応する動作を示すフローチャートである。この操作はコマンダ３２のテンキー４０またはパネルスイッチ１５のテンキーを操作したとき実行される。テンキーが操作されると入力された値をＲＡＭ１２の置数バッファにセットする（ｓ１０）。置数バッファの内容は送信キー４４がオンされたとき曲番号または電話番号として取り込まれる。
【００２１】
図５は送信キー操作に対応する動作を示すフローチャートである。この操作はコマンダ３２の送信キー４４またはパネルスイッチ１５の同種のキースイッチを操作したとき実行される。まず、そのとき電話モードであるか否かを判断する（ｓ２０）。電話モードでない場合、すなわち通常モードの場合には、置数バッファに記憶されている値をリクエストされた曲番号として予約曲リストの最後尾に登録する（ｓ２２）。
【００２２】
電話モードの場合にはｓ２１に進んで通話中であるか否かを判断する。通話中でなければ置数バッファに記憶されている値を電話番号（ＡＴモデムの場合にはＡＴＤＴ＋値）としてモデム１８に出力する（ｓ１２）。これにより、モデム１８はフックオフしてこの値に対応するトーンシグナルを公衆電話回線（交換機）に向けて出力する。
【００２３】
このようにして電話番号を入力して通話先を呼び出すことができる。通話先がこの呼び出しに応じてフックオフする（受話器を取り上げる）と、モデム１８はこれを検出して通信制御部１６に対して応答信号を出力する。通信制御部１６に応答信号が入力されると、制御部は図４（Ｂ）に示す動作を実行する。
【００２４】
図４（Ｂ）は応答信号対応動作を示すフローチャートである。通信制御部１６にモデム１８から応答信号が入力されると以下の動作を実行する。まず通話中であることを記憶する通話中フラグをセットする（ｓ１１）。そして、公衆電話回線をモデム１８からメインアンプ２３側に切り換える（ｓ１２）。すなわち、公衆電話回線をモデム１８をスルーさせてメインアンプ２３に接続する。これにより、通話先の話声はスピーカ２４から出力され、このカラオケ装置を使用しているカラオケ歌唱者の声はマイク２９から通話先に送信される。
【００２５】
これにより、カラオケボックスから友人に電話を掛けることができ、友人を誘うなどの利用ができる。また、カラオケ歌唱中に電話を掛けることによって、伴奏を含むカラオケ歌唱音を友人宅に流すこともでき、また、電話先で歌唱することにより通話先の友人がカラオケ歌唱に参加することもできる。この場合に、公衆電話回線からの入力（友人の歌唱音声）をＡ／Ｄコンバータ３１に入力してカラオケ歌唱者の歌唱音声信号と一緒に効果用ＤＳＰ２１に入力するようにしてもよい。
【００２６】
また、効果用ＤＳＰ２１は、上述したように、入力された音声信号に対して種々の効果を付与することができるため、マイク２９から入力された音声信号に対して種々の効果を付与して通話先に送信することもできる。たとえば、ピッチチェンジの効果を付与することによって、音声の周波数を上げることによって男性が女性の声で通話したりすることができる。
【００２７】
一方、図５において、通話中に送信キー４４がオンされた場合には、公衆電話回線はメインアンプ２３を介してマイク２９，スピーカ２４に接続されているため、公衆電話回線を一旦回線をモデム１８側に切り換えたのち（ｓ２４）、置数バッファに記憶されている値をモデム１８に出力する（ｓ２５）。モデム１８はこの値に対応するトーンシグナルを通話先に向けて出力する。ただし、このとき上述のＡＴＤＴコマンドの場合のように公衆電話回線をリセットせず通話状態を持続するものとする。このようにトーンシグナルを送信することにより、たとえばポケットベル（登録商標）に対して数値や文字コードを送信することができる。こののち、モデム１８をメインアンプ２３側に切り換える（ｓ２６）。
【００２８】
こののち、フックオンスイッチ４３がオンされた場合には、図４（Ｃ）の動作が実行される。フックオンスイッチ４３がオンされた場合には、まず、電話がフックオフ状態であるか否かすなわち通話中フラグがセットされているか否かを判断する（ｓ１３）。このとき公衆電話回線はモデム１８側に切り換えられるものとする。フックオフ状態でなければそのままリターンする。フックオフ状態であればフックオンして（電話を切って）リターンする（ｓ１４）。
【００２９】
このように、通信カラオケ装置に元より備えられている通信機能およびモデム１８を用いてカラオケ歌唱者が外部に電話を掛けられるようにしたことにより、機器を増設することなく新たなカラオケの楽しみ方を作りだすことができる。
【００３０】
なお、上記実施形態では公衆電話回線を用いているが回線は公衆電話回線に限定されず、たとえばＩＳＤＮ回線でもよい。
【００３１】
また、上記実施形態の通信カラオケ装置はいわゆるカラオケボックスに設置されるものとしたが、設置場所はカラオケボックスに限定されるものではない。
【００３２】
【発明の効果】
以上のようにこの発明によれば、通常はセンタから楽曲ファイルをダウンロードするための通信手段を用いて、利用者が自分の操作で電話を掛けることができるため、通信手段の有効利用を図ることができるうえ、カラオケ装置の利用者の外部連絡が容易になる。たとえば、カラオケボックスにこの装置を設置した場合には、一緒にカラオケボックスに来店することができなかった友人のポケットベル（登録商標）を呼び出したり、友人宅へ電話を掛けて通話したりすることができる。通話する場合には、カラオケ歌唱用のマイクで話し、スピーカで相手の声を聞くことができるため、通常の電話とほぼ同じ間隔で通話することができる。また、カラオケ歌唱音声をそのまま友人などの通話先に流したり、通話先の友人がカラオケ歌唱に参加したりすることができ、新たなカラオケの楽しみを作りだすことができる。
【図面の簡単な説明】
【図１】この発明の実施形態である通信カラオケ装置のブロック図
【図２】同通信カラオケ装置のコマンダの構成を示す図
【図３】同通信カラオケ装置の動作を示すブロック図
【図４】同通信カラオケ装置の動作を示すブロック図
【図５】同通信カラオケ装置の動作を示すブロック図
【符号の説明】
１３…リモコン受信機、１５…パネルスイッチ、１６…通信制御部、
１８…モデム、２３…メインアンプ、２４…スピーカ、２９…歌唱用マイク、
３２…コマンダ、４０…テンキー、４１…電話モードスイッチ、
４２…（電話モード表示用）ＬＥＤ、４３…フックオンスイッチ、
４４…送信キー
【図１】
0003728786.tif 000002
【図２】
0003728786.tif 000003
【図３】
0003728786.tif 000004
【図４】
0003728786.tif 000005
【図５】
0003728786.tif 000006